(57)【要約】 【課題】ワイヤー固定部材及びこれを有する表示装置を提供する。【解決手段】表示装置はバックライト組立体及び表示パネルを含む。バックライト組立体は収納容器と、前記収納容器の内部に配置され、光を発生する光源及び光源に電源を提供する電源線を含む光源アセンブリと、収納容器の外側面に配置された本体部、電源線を収納するために本体部に形成されたガイド溝を有する本体、及びガイド溝を覆うカバーを含む電源線固定部材と、を含む。表示パネルは収納容器に収納され、光に基づいて画像を表示する。これにより、光源に電気的に連結され光源に電源を提供する電源線を指定された位置に堅固に固定及び電源線を保護するカバーを配置して電源線の扱いをより容易にし、電源線の断線及び電源線の破損を防止する効果を有する。【選択図】    図１
2006190641.tif 000002
【特許請求の範囲】
【請求項１】
本体、及び前記本体の上面に形成されワイヤーが収納されるガイド溝を有するガイド部材と、
前記ガイド部材に結合され前記ガイド溝を覆うプレート形状のカバーと、を含むことを特徴とするワイヤー固定部材。
【請求項２】
前記本体は第１固定部を含み、前記カバーは前記第１固定部と結合される第２固定部を含むことを特徴とする請求項１記載のワイヤー固定部材。
【請求項３】
前記第１固定部は前記本体の両側の側面からそれぞれ突出した突起を含み、前記第２固定部は前記第１固定部と対応する開口を含むことを特徴とする請求項２記載のワイヤー固定部材。
【請求項４】
前記第２固定部は、前記カバーの一面から前記第１固定部に向かって突出した突出部を含み、前記開口は前記突出部に形成されることを特徴とする請求項３記載のワイヤー固定部材。
【請求項５】
前記第１固定部は前記本体の両側の側面にそれぞれ形成されたリセス部を含み、前記第２固定部は前記第１固定部に対応する突起を含むことを特徴とする請求項２記載のワイヤー固定部材。
【請求項６】
前記第２固定部は前記カバーの一面から前記第１固定部に向かって突出した突出部を含み、前記突起は前記突出部に形成されることを特徴とする請求項５記載のワイヤー固定部材。  
【請求項７】
前記第１固定部は前記カバーと向き合うように前記上面から突出した突起を含み、前記第２固定部は前記突起と対応する前記カバーに形成されたリセス部を含むことを特徴とする請求項２記載のワイヤー固定部材。
【請求項８】
前記第１固定部は前記カバーと向き合うように前記上面に形成されたリセス部を含み、前記第２固定部は前記カバーのうち前記リセス部と対応する位置から突出した突起を含むことを特徴とする請求項２記載のワイヤー固定部材。
【請求項９】
前記本体は前記本体の側面から前記本体の底面と平行な方向に延長された支持部を含むことを特徴とする請求項１記載のワイヤー固定部材。
【請求項１０】
前記本体は折曲部を含むことを特徴とする請求項１記載のワイヤー固定部材。
【請求項１１】
第１側壁、及び前記第１側壁と対向する第２側壁を有する本体部と、前記本体部の上面に形成されワイヤーが収納されるガイド溝と、を有するガイド本体と、
前記第１側壁と対応する第１側面、前記第２側壁と対応する第２側面を有し前記ガイド溝を覆うカバーと、
前記第１側壁と前記第１側面とを相互連結する連結部と、
を含むことを特徴とするワイヤー固定部材。
【請求項１２】
前記第２側壁は第１固定部を含み、前記第２側面は前記第１固定部と結合される第２固定部を含むことを特徴とする請求項１１記載のワイヤー固定部材。
【請求項１３】
前記第１固定部は突起を含み、前記第２固定部は前記突起と対応するリセス部を含むことを特徴とする請求項１２記載のワイヤー固定部材。
【請求項１４】
前記第１固定部はリセス部を含み、前記第２固定部は前記リセス部と結合される突起を含むことを特徴とする請求項１２記載のワイヤー固定部材。
【請求項１５】
前記第１固定部は前記カバーと向き合うように前記上面から突出した突起を含み、前記第２固定部は前記突起と対応する前記カバーに形成されたリセス部を含むことを特徴とする請求項１２記載のワイヤー固定部材。
【請求項１６】
前記第１固定部は前記カバーと向き合うように前記上面に形成されたリセス部を含み、前記第２固定部は前記カバーのうち前記リセス部と対応する位置から突出した突起を含むことを特徴とする請求項２記載のワイヤー固定部材。
【請求項１７】
収納容器と、
前記収納容器の内部に配置され、光を発生する光源、及び前記光源に電源を提供する電源線を含む光源アセンブリと、
前記収納容器の外側面に配置された本体部と前記電源線を収納するために本体部に形成されたガイド溝とを有する本体、及び前記ガイド溝を覆うカバーを含む電源線固定部材を含むバックライト組立体と、
前記収納容器に収納され、前記光に基づいて画像を表示する表示パネルと、
を含むことを特徴とする表示装置。
【請求項１８】
前記本体部は前記カバーと結合するための第１固定部を含み、前記カバーは前記第１固定部と結合するための第２固定部を含むこととを特徴とする請求項１７記載の表示装置。
【請求項１９】
前記第１固定部は前記本体部の側面に形成された突起を含み、前記第２固定部は前記突起に結合される開口を含むことを特徴とする請求項１８記載の表示装置。
【請求項２０】
前記第１固定部は前記本体部の側面に形成されたリセス部を含み、前記第２固定部は前記リセス部に対応する突起を含むことを特徴とする請求項１８記載の表示装置。
【請求項２１】
前記電源線固定部材は、前記カバー及び前記本体を連結する連結部をさらに含むことを特徴とする請求項１７記載の表示装置。
【請求項２２】
前記連結部は、前記カバー及び前記本体に一体に連結されていることを特徴とする請求項２１記載の表示装置。
【請求項２３】
前記第１固定部は前記カバーと向き合うように前記上面から突出した突起を含み、前記第２固定部は前記突起と対応する前記カバーに形成されたリセス部を含むことを特徴とする請求項１８記載の表示装置。
【請求項２４】
前記第１固定部は前記カバーと向き合うように前記上面に形成されたリセス部を含み、前記第２固定部は前記カバーのうち前記リセス部と対応する位置から突出された突起を含むことを特徴とする請求項１８記載の表示装置。
【発明の詳細な説明】
【技術分野】
【０００１】
本発明はワイヤー固定部材及びこれを有する表示装置に係わり、より具体的には、本発明は光源に電源を提供する電源線をガイドし、破損を防止するワイヤー固定部材及びこれを有する表示装置に関する。
【背景技術】
【０００２】
一般的に、液晶表示装置は液晶を用いて画像を表示する。液晶は電場の方向に対応して配列が変更する電気的特性及び配列に対応して光の透過率が変更する光学的特性を有する。
【０００３】
液晶表示装置によって画像を表示するためには液晶の配列を制御する液晶制御部及び液晶に光を提供する光提供部を必要とする。
【０００４】
従来の液晶表示装置の光提供部は、光を発生する光源を含む。液晶表示装置に使用される光源の例としては冷陰極線管ランプＣＣＦＬ、発光ダイオードＬＥＤまたは平板蛍光ランプＦＦＬなどを挙げることができる。
液晶表示装置に含まれた光源から光を発生するために電源が光源には提供され、電源は電源線を通じて光源に印加される。
【０００５】
しかし、従来の液晶表示装置の電源線はフレキシブルで固定が難しく、電源線の破損及び損傷が頻繁に発生するという問題点を有する。
このような理由から、従来の液晶表示装置の電源線は接着テープなどによって固定されるが、接着テープからレジンが漏れ液晶表示装置を汚染させるという問題点を有する。
【発明の開示】
【発明が解決しようとする課題】
【０００６】
従って、本発明は従来技術による一つまたはそれ以上の問題点及び制限を実質的に除去することにある。
本発明による一つの目的は光源に電源を提供するワイヤーの破損及び損傷を減少させたワイヤー固定部材を提供することにある。
本発明の他の目的は、前記ワイヤー固定部材を有する表示装置を提供することにある。  
【課題を解決するための手段】
【０００７】
このように本発明の一つの目的を具現するために、本発明によるワイヤー固定部材は、ガイド部材及びカバーを含む。ガイド部材は、本体、本体の上面に形成されワイヤーが収納されるガイド溝を有し、カバーはガイド部材に結合されガイド溝を覆うプレート形状を有する。
【０００８】
また、本発明によるワイヤー固定部材はガイド本体、カバー及び連結部を含む。ガイド本体は、第１側壁、及び第１側壁と対向する第２側壁を有する本体部と、本体部の上面に形成されワイヤーが収納されるガイド溝とを有する。カバーは第１側壁と対応する第１側面、第２側壁と対応する第２側面を有しガイド溝を覆う。連結部は第１側壁と第１側面とを相互連結する。
【０００９】
また、本発明の他の目的を具現するために本発明による表示装置はバックライト組立体及び表示パネルを含む。バックライト組立体は、収納容器と、収納容器の内部に配置され、光を発生する光源及び光源に電源を提供する電源線を含む光源アセンブリと、収納容器の外側面に配置された本体部、電源線を収納するために本体部に形成されたガイド溝を有する本体、及びガイド溝を覆うカバーを含む電源線固定部材と、を含む。表示パネルは収納容器に収納され、光に基づいて画像を表示パネルを含む。
【発明を実施するための最良の形態】
【００１０】
以下、図面を参照して本発明の望ましい一実施例をより詳細に説明する。
本発明において、頻繁に使用される用語である“ワイヤー”は電源が印加される導電線を意味する。それに換えて、“ワイヤー”は導電線及び導電線を絶縁する被覆を含むことができる。また、“ワイヤー”は外部から印加された電源を光源に伝達する“電源印加線”または“電源線”とすることができる。
【００１１】
ワイヤー固定部材
図１は本発明の一実施例によるワイヤー固定部材の分解斜視図である。
図１に示すように、ワイヤー固定部材１００はワイヤーを指定された方向にガイドするガイド部材１１０及びカバー１２０を含む。
ガイド部材１１０は、本体１１２及びガイド溝１１４を含む。本体１１２は、例えば、Ｌ字形状で折曲されたプレートである。本体１１２は上面１１２ａ、底面１１２ｂ、第１側壁１１２ｃ及び第２側壁１１２ｄを含む。
【００１２】
上面１１２ａには、例えば、ガイド溝１１４が形成され、底面１１２ｂは上面１１２ａと向き合う。第１側壁１１２ｃは上面１１２ａと底面１１２ｂとを相互連結し、第２側壁１１２ｄは第１側壁１１２ｃと対向する。
ガイド溝１１４はグルーブ形状に上面１１２ａ上に形成される。ガイド溝１１４はガイド部材１１０に固定されるワイヤーの個数に対応して形成される。本実施例において、ガイド溝１１４の個数は、例えば、約４個である。
【００１３】
カバー１２０はガイド部材１１０に多様な方法で結合されガイド溝１１４に収納されたワイヤーを保護する。
カバー１２０は、例えば、プレート形状を有する。カバー１２０は、第１側面１２１、及び第１側面１２１と対向する第２側面１２２を有する。第１側面１２１は第１側壁１１２ｃと平行で、第２側面１２２は第２側壁１１２ｄと平行である。
カバー１２０の第１サイズ及び第１形状は本体１１２の上面１１２ａの第２サイズ及び第２形状と実質的に同一である。これに換えて、カバー１２０はガイド溝１１４を全部覆うために多様な形状を有することができ、多様な方法で本体１１２上に配置されることができる。
【００１４】
カバー１２０はガイド部材１１０に収納されたワイヤーを保護してワイヤーの断線または破損を防止する。
【００１５】
一方、本体１１２を収納容器などに固定するために本体１１２の第１側壁１１２ｃまたは第２側壁１１２ｄから支持部１１２ｅを突出させることができる。支持部１１２ｅは、例えば、本体１１２の第１側壁１１２ｃから底面１１２ｂと平行な方向に突出される。
【００１６】
図２は本実施例の他の実施例によるワイヤー固定部材の分解斜視図である。図３は図２のワイヤー固定部材の斜視図である。
図２及び図３に示すように、ガイド部材１１０にはカバー１２０を固定する第１固定部１１５が形成され、カバー１２０には第１固定部１１５と結合される第２固定部１２３が形成される。
【００１７】
第１固定部１１５はガイド部材１１０の本体１１２の第１側壁１１２ｃ及び第２側壁１１２ｄにそれぞれ形成される。第１固定部１１５は第１側壁１１２ｃ及び第２側壁１１２ｄから突出した突起とすることができる。
第２固定部１２３はカバー１２０の第１側面１２１及び第２側面１２２にそれぞれ形成される。第２固定部１２３は第１側面１２１及び第２側面１２２から第１側壁１１２ｃ、第２側壁１１２ｄに形成された第１固定部１１５に向かって突出した突出部１２３ａ及び突出部１２３ａに形成されていて第１固定部１１５と結合される開口１２３ｂを有する。開口１２３ｂは、例えば、第１固定部１１５と結合されるリセスまたは貫通孔とすることができる。
【００１８】
図４は本発明のさらに別の実施例によるワイヤー固定部材の分解斜視図である。図５は図４のワイヤー固定部材の斜視図である。
【００１９】
図４及び図５に示すように、ガイド部材１１０にはカバー１２０を固定する第１固定部１１６が形成され、カバー１２０には第１固定部１１６と結合される第２固定部１２４が形成される。
第１固定部１１６はガイド部材１１０の本体１１２の第１側壁１１２ｃ及び第２側壁１１２ｄにそれぞれ形成される。第１固定部１１６は第１側壁１１２ｃ及び第２側壁１１２ｄから陥没したリセス部であることができる。
第２固定部１２４はカバー１２０の第１側面１２１及び第２側面１２２にそれぞれ形成される。第２固定部１２４は第１側面１２１及び第２側面１２２から第１側壁１１２ｃ、第２側壁１１２ｄに形成された第１固定部１１６に向かって突出した突出部１２４ａ及び突出部１２４ａに形成されていて第１固定部１１６と結合される突起１２４ｂを有する。
【００２０】
図６は本発明のさらに別の実施例によるワイヤー固定部材の分解斜視図である。
図６に示すように、ガイド部材１１０にはカバー１２０を固定する第１固定部１１７が形成され、カバー１２０には第１固定部１１７と結合される第２固定部１２５が形成される。
第１固定部１１７はガイド部材１１０の本体１１２の上面１１２ａに形成される。第１固定部１１７は複数個が本体１１２の上面１１２ａ上に配置され、第１固定部１１７は所定の間隔で相互に離隔される。本実施例において、第１固定部１１７は、例えば、ボス形状を有する。
第２固定部１２５は第１固定部１１７と対応する位置でカバー１２０に形成される。第２固定部１２５は第１固定部１１７と結合されるリセス部または貫通孔とすることができる。
【００２１】
図７は本発明のさらにまたの実施例によるワイヤー固定部材の分解斜視図である。
図７に示すように、ガイド部材１１０にはカバー１２０を固定する第１固定部１１８が形成され、カバー１２０には第１固定部１１８と結合される第２固定部１２６が形成される。
第１固定部１１８はガイド部材１１０の本体１１２の上面１１２ａに形成される。第１固定部１１８は複数個が本体１１２の上面１１２ａ上に形成され、第１固定部１１８は所定の間隔で相互に離隔される。本実施例において、第１固定部１１８は、例えば、リセスまたは貫通孔である。
第２固定部１２６は第１固定部１１８と対応するカバー１２０に形成される。第２固定部１２６は第１固定部１１８と結合するボスとすることができる。
【００２２】
図８は本発明のさらに別の実施例によるワイヤー固定部材の斜視図である。
図８に示すように、本体１１２の第１側壁１１２ｃ及びカバー１２０の第１側面１２１は連結部１３０によって連結される。
連結部１３０はガイド部材１１０及びカバー１２０と一体に形成され、連結部１３０、ガイド部材１１０及びカバー１２０を形成する物質は実質的に同一である。これに換えて、連結部１３０をガイド部材１１０及びカバー１２０を形成する物質とは異なる物質から形成することができる。
連結部１３０をガイド部材１１０及びカバー１２０と一体に形成する場合、ガイド部材１１０及びカバー１２０の組立工程数を減少させることができ、ワイヤー固定部材１００の部品数を減少させることができる。
【００２３】
一方、カバー１２０をガイド部材１１０の上面１１２ａ上に固定するために、ガイド部材１１０の本体１１２の第２側壁１１２ｄには第１固定部１１５が形成され、カバー１２０の第２側面１２２には第２固定部１２３が形成される。
第１固定部１１５は第２側壁１１２ｄから突出した突起とすることができる。
第２固定部１２３は、第２側面１２２から第２側壁１１２ｄに形成された第１固定部１１５に向かって突出した突出部１２３ａ及び突出部１２３ａに形成されていて第１固定部１１５と結合される開口１２３ｂを有する。開口１２３ｂは、例えば、第１固定部１１５と結合されるリセスまたは貫通孔とすることができる。
【００２４】
図９は本発明のさらに別の実施例によるワイヤー固定部材の斜視図である。
図９に示すように、連結部１３０によって連結されたガイド部材１１０の第２側壁１１２ｄには第１固定部１１６が形成され、カバー１２０の第２側面１２２には第２固定部１２４が形成される。
第１固定部１１６は第２側壁１１２ｄから陥没したリセス部とすることができる。
第２固定部１２４は、第２側面１２２から第２側壁１１２ｄに形成された第１固定部１１６に向かって突出した突出部１２４ａ及び突出部１２４ａに形成されていて第１固定部１１６と結合される突起１２４ｂを有する。
【００２５】
表示装置
図１０は本発明の実施例による表示装置の背面図である。図１１は図１０に示された電源線固定部材を抜粋して図示した分解斜視図である。図１２は図１０の分解斜視図である。
【００２６】
図１０ないし図１２に示すように、表示装置９００はバックライト組立体５００、表示パネル７００及びトップシャーシ８００を含む。
バックライト組立体５００は光源アセンブリ１５０、収納容器３００及び電源線固定部材２００を含む。
光源アセンブリ１５０は光源１５５及び電源印加線１５７を含む。
光源１５５は放電によって太陽光と類似した白色光を発生し、発熱量が白熱灯に比べて小さい冷陰極線管ランプとすることができる。これに換えて、本実施例による光源１５５は平板蛍光ランプまたは発光ダイオードを使用してもよい。
電源印加線１５７は外部から提供された電源を光源１５５に伝達する。電源印加線１５７によって伝達された電源によって光源１５５から光が発生される。
【００２７】
本実施例において、光源１５５が冷陰極線管ランプである場合、電源印加線１５７は冷陰極線管ランプの両側端部に配置された電極に電気的に連結される。
収納容器３００は光源アセンブリ１５０を収納する。本実施例による収納容器３００は、例えば、底面３０２及び側壁３０４を含む。
【００２８】
本実施例による収納容器３００の底面３０２は、例えば、四角プレート形状を有し、収納容器３００の側壁３０４は、例えば、底面３０２の周辺部に形成され収納容器３００に収納領域が形成される。
光源１５５は収納容器３００の側壁３０４のうちいずれか一つの側壁と隣接したところに配置されることができる。これに換えて、光源１５５は収納容器３００の側壁３０４のうち相互に向き合う２つの側壁と隣接したところにそれぞれ配置されることができる。これに換えて、光源１５５は収納容器３００の側壁３０４毎に配置されることができる。
【００２９】
電源線固定部材１００は電源印加線１５７を指定された方向にガイドするガイド部材１１０及びカバー１２０を含む。電源線固定部材１００は収納容器３００の底面３０２の外側面に配置される。
ガイド部材１１０は本体１１２及びガイド溝１１４を含む。本体１１２は、例えば、Ｌ字形状の折曲されたプレートである。本体１１２は上面１１２ａ、底面１１２ｂ、第１側壁１１２ｃ及び第２側壁１１２ｄを含む。
【００３０】
上面１１２ａには、例えば、ガイド溝１１４が形成され、底面１１２ｂは上面１１２ａと向き合い収納容器３００の底面３０２の外側面上に配置される。第１側壁１１２ｃは上面１１２ａと底面１１２ｂを相互連結し、第２側壁１１２ｄは第１側壁１１２ｃと対向する。
【００３１】
ガイド溝１１４はグルーブ形状で上面１１２ａ上に形成される。ガイド溝１１４はガイド部材１１０に固定される電源印加線１５７の個数に対応して形成される。本実施例において、ガイド溝１１４の個数は、例えば、約４個である。
【００３２】
カバー１２０はガイド部材１１０に多様な方法で結合されガイド溝１１４に収納された電源印加線１５７を保護及び破損を防止する。
カバー１２０は、例えば、プレート形状を有する。カバー１２０は、第１側面１２１及び第１側面１２１と対向する第２側面１２２を有する。第１側面１２１は第１側壁１１２ｃと平行で、第２側面１２２は第２側壁１１２ｄと平行である。
カバー１２０の第１サイズ及び第１形状は本体１１２の上面１１２ａの第２サイズ及び第２形状と実質的に同一である。これに換えて、カバー１２０はガイド溝１１４を全部覆うために多様な形状を有することができ、多様な方法で本体１１２上に配置されることができる。
【００３３】
カバー１２０はガイド部材１１０に収納された電源印加線１５７を保護するためにワイヤーの断線及び破損を防止する。
本実施例によると、電源線固定部材１００のカバー１２０にはガイド部材１１０と結合するための突起またはリセス部を有する突出部が形成されることができ、ガイド部材１１０にはカバー１２０に形成された突起またはリセス部と結合するためのリセス部または突起が形成されることができる。
電源線固定部材１００に固定された電源印加線１５７は収納容器３００の底面３０２の外側面に配置された電源提供装置６００に電気的に連結される。
【００３４】
本実施例による電源線固定部材１００は固定部材によって収納容器３００の底面３０２に固定される。固定部材は電源線固定部材１００及び収納容器３００を締結する締結ネジを使用することが望ましい。
【００３５】
これに加えて、バックライト組立体５００は収納容器３００の内部に配置され光源１５５で発生した光の光学分布をより向上させるための導光板５１０及び導光板５１０で出射された光の光学特性をより向上させるための拡散板、輝度向上フィルム、集光フィルム、反射板のような光学シート５２０をさらに含むことができる。
表示パネル７００は薄膜トランジスタ基板７１０、液晶層（図示せず）及びカラーフィルター基板７２０、駆動印刷回路基板７３０を含む。
【００３６】
薄膜トランジスタ基板７１０は複数個の画素電極がマトリックス形状に配置され、各画素電極には薄膜トランジスタが配置される。薄膜トランジスタは駆動印刷回路基板７３０で発生した駆動信号を画素電極に印加する。
カラーフィルター基板７２０は複数個の画素電極と向き合う共通電極を含み、各画素電極と対応する位置に形成されたカラーフィルターを含む。
液晶層はカラーフィルター基板７２０と薄膜トランジスタ基板７１０との間に介在され、画素電極と共通電極との間に形成された電界差によって配列が変更され、変更された配列によって光の透過率を変更させ画像を表示する。
トップシャーシ８００は表示パネル７００の端部位を取り囲みながら収納容器３００と結合する。トップシャーシ８００は外部衝撃による表示パネル７００の破損を防止する。
【００３７】
以上、詳細に説明したように、光源に電気的に連結され、光源に電源を提供する電源印加線を指定された位置に堅固に固定し、電源印加線を保護するカバーを配置して電源印加線の扱いをより容易にし、電源印加線の断線及び電源印加線の破損を防止する効果を有する。
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３８】
【図１】本発明の一実施例によるワイヤー固定部材の分解斜視図である。
【図２】本発明の他の実施例によるワイヤー固定部材の分解斜視図である。
【図３】図２のワイヤー固定部材の斜視図である。
【図４】本発明のさらに別の実施例によるワイヤー固定部材の分解斜視図である。
【図５】図４のワイヤー固定部材の斜視図である。
【図６】本発明のさらに別の実施例によるワイヤー固定部材の分解斜視図である。
【図７】本発明のさらに別の実施例によるワイヤー固定部材の分解斜視図である。
【図８】本発明のさらに別の実施例によるワイヤー固定部材の斜視図である。
【図９】本発明のさらに別の実施例によるワイヤー固定部材の斜視図である。
【図１０】本発明の実施例による表示装置の背面図である。
【図１１】図１０に示された電源線固定部材を抜粋図示した分解斜視図である。
【図１２】図１０の分解斜視図である。
【符号の説明】
【００３９】
１００      ワイヤー固定部材
１１０      ガイド部材
１１２      本体
１１２ｅ      突出部
１１４      ガイド溝
１１５、１１６      第１固定部
１２３、１２４      第２固定部
１２０      カバー
１２１      第１側面
１２２      第２側面
１３０      連結部
１５０      光源アセンブリ
１５５      光源
１５７      電源印加線
１００      電源線固定部材
３００      収納容器
６００      電源提供装置
７００      表示パネル
７１０      薄膜トランジスタ基板
７２０      カラーフィルター基板
７３０      駆動印刷回路基板
５００      バックライト組立体
８００      トップシャーシ
９００      表示装置
【図１】
2006190641.tif 000003
【図２】
2006190641.tif 000004
【図３】
2006190641.tif 000005
【図４】
2006190641.tif 000006
【図５】
2006190641.tif 000007
【図６】
2006190641.tif 000008
【図７】
2006190641.tif 000009
【図８】
2006190641.tif 000010
【図９】
2006190641.tif 000011
【図１０】
2006190641.tif 000012
【図１１】
2006190641.tif 000013
【図１２】
2006190641.tif 000014